(57)【特許請求の範囲】
【請求項１】
ＴＶの放送予定を示す番組情報を予め定められた規定時間毎に番組情報提供サーバから取込む番組情報取込手段と、
この番組情報取込手段で取込まれた番組情報に基づいて所定期間内における番組放送予定表を作成する予定表作成手段と、
前記番組放送予定表を表示出力する放送予定表表示出力手段と、
前記番組放送予定表が表示された状態で、表示画面上における番組予約操作で指定された番組を予約番組として登録する予約登録手段と、
この予約登録手段で予約登録された予約番組を、放送番組を録画する機器へ送信する予約番組送信手段と、
前記規定期間より短い期間が経過する毎に、前記番組情報提供サーバから番組変更情報を取込む番組変更情報取込手段と、
この番組変更情報取込手段で取込まれた番組変更情報を用いて、前記番組放送予定表を修正する放送予定表修正手段と
を備えた番組予約管理装置。
【請求項２】
ＴＶの放送予定を示す番組情報を取込む番組情報取込手段と、
この番組情報取込手段で取込まれた番組情報に基づいて所定期間内における番組放送予定表を作成する予定表作成手段と、
前記番組放送予定表を表示出力する放送予定表表示出力手段と、
前記番組放送予定表が表示された状態で、表示画面上における番組予約操作で指定された番組を予約番組として登録する予約登録手段と、
この予約登録手段で予約登録された予約番組を、放送番組を録画する機器へ送信する予約番組送信手段と、
前記放送番組を録画する機器から送出された、各予約番組に対する各録画結果を受信する録画結果取込手段と、
この受信した各録画結果を同一番組名毎に録画結果一覧表に編集する録画結果編集手段と、
この編集された録画結果一覧表を記憶する録画表ファイルと、
番組名を指定した表示指令操作に応じて、前記録画表ファイルに記憶された指定された番組名に対応する録画結果一覧表を表示出力する録画結果表示出力手段と
を備えた番組予約管理装置。
【請求項３】
番組名を指定した印字指令操作に応じて、前記録画表ファイルに記憶された指定された番組名に対応する録画結果一覧表をラベルとして印字出力するラベル印字手段を備えた請求項２記載の番組予約管理装置。
【請求項４】
前記番組放送予定表が表示された状態で、表示画面上における番組指定操作で指定された番組に対応するチャンネルへのチャンネル切換指示をＴＶへ送信するＴＶ遠隔操作手段を備えた請求項１乃至３のいずれか一項に記載の番組予約管理装置。
【発明の詳細な説明】
【０００１】
【発明の属する技術分野】
本発明は、ＶＴＲ（ビデオテープレコーダ）を用いてＴＶ（テレビジョン）の放送番組を録画する場合において、視聴者がＶＴＲに対する番組予約管理を行うための番組予約管理装置に関する。
【０００２】
【従来の技術】
現在、視聴者がＶＴＲを用いてＴＶの放送番組を録画予約する一般的手法においては、ＶＴＲに搭載された番組予約機能に応じて若干異なるが、視聴者が新聞やＴＶ番組情報誌等の番組放送予定表を見て、ＶＴＲの操作パネルの各スイッチや各ボタンを用いてマニュアル操作で、録画したい番組のチャンネル（放送局）、放送月日（曜日）、開始時刻、終了時刻等を登録する。
【０００３】
このマニュアル操作は非常に煩雑でかつ誤操作を犯し易いので、近年、番組放送予定表の番組名に併記されているＧコードを読取って登録する、さらに、番組放送予定表の番組名に併記されている該当番組を特定するバーコードをバーコードスキャナー等で読取って登録する等の手法が採用されている。
【０００４】
【発明が解決しようとする課題】
しかし、Ｇコードを用いて登録する手法においては、視聴者は多数桁からなるＧコードの数字を読取って、やはりその多数桁の数字をＧコード端末又はＶＴＲ本体に対してマニュアル操作で入力する必要があり、この過程で誤操作が発生する懸念がある。
【０００５】
また、番組放送予定表にＧコードが記載されていない新聞もある。さらに、新聞には発行日当日の番組放送予定表は記載されているが、発行日より先の日付の番組放送予定表は記載されていない。
【０００６】
また、バーコードが表記された新聞やＴＶ番組情報誌はごく限られており、一般的でない。
一方、近年、パーソナルコンピュータが各家庭に普及してきており、このパーソナルコンピュータでもって各家庭における家計を含む各種の情報管理を実施することが提唱されている。
【０００７】
これらの一貫として、パーソナルコンピュータで、地上波ＴＶ、衛星波ＴＶ、ＣＡＴＶ、電話、ＴＶ電話、電子メール、ファクシミリ、インターネットを用いた情報交換等を行うマルチメディア管理が提唱されている。
【０００８】
しかし、ＴＶ番組はそれ自体がアナログ情報であるので、直接パーソナルコンピュータの表示画面に表示できないこと等に起因して、ＴＶとＶＴＲの組合せとパーソナルコンピュータとの間には有機的な結合は存在しなかった。
【０００９】
本発明はこのような事情に鑑みてなされたものであり、取込んだ番組情報から所定期間の番組放送予定表を作成してこれを表示して視聴者に録画番組を表示画面上で指定させることによって、視聴者にとって、番組予約操作が簡素化され、誤りなく確実に番組録画予約が実施できる番組予約管理装置を提供することを目的とする。
【００１０】
【課題を解決するための手段】
上記課題を解消するために、本発明の番組予約管理装置においては、ＴＶの放送予定を示す番組情報を予め定められた規定時間毎に番組情報提供サーバから取込む番組情報取込手段と、番組情報取込手段で取込まれた番組情報に基づいて所定期間内における番組放送予定表を作成する予定表作成手段と、番組放送予定表を表示出力する放送予定表表示出力手段と、番組放送予定表が表示された状態で、表示画面上における番組予約操作で指定された番組を予約番組として登録する予約登録手段と、予約登録手段で予約登録された予約番組を、放送番組を録画する機器へ送信する予約番組送信手段と、規定期間より短い期間が経過する毎に、番組情報提供サーバから番組変更情報を取込む番組変更情報取込手段と、番組変更情報取込手段で取込まれた番組変更情報を用いて、番組放送予定表を修正する放送予定表修正手段とを備えている。
【００１１】
また、別の発明の番組予約管理装置においては、ＴＶの放送予定を示す番組情報を取込む番組情報取込手段と、番組情報取込手段で取込まれた番組情報に基づいて所定期間内における番組放送予定表を作成する予定表作成手段と、番組放送予定表を表示出力する放送予定表表示出力手段と、番組放送予定表が表示された状態で、表示画面上における番組予約操作で指定された番組を予約番組として登録する予約登録手段と、この予約登録手段で予約登録された予約番組を、放送番組を録画する機器へ送信する予約番組送信手段と、放送番組を録画する機器から送出された、各予約番組に対する各録画結果を受信する録画結果取込手段と、受信した各録画結果を同一番組名毎に録画結果一覧表に編集する録画結果編集手段と、編集された録画結果一覧表を記憶する録画表ファイルと、番組名を指定した表示指令操作に応じて、録画表ファイルに記憶された指定された番組名に対応する録画結果一覧表を表示出力する録画結果表示出力手段とを備えている。
【００１４】
また、別の発明は、番組予約管理装置に対して、番組名を指定した印字指令操作に応じて、録画表ファイルに記憶された指定された番組名に対応する録画結果一覧表をラベルとして印字出力するラベル印字手段を付加している。
【００１７】
また、別の発明は、番組予約管理装置に対して、番組放送予定表が表示された状態で、表示画面上における番組指定操作で指定された番組に対応するチャンネルへのチャンネル切換指示をＴＶへ送信するＴＶ遠隔操作手段を付加したものである。
【００１９】
このように構成され番組予約管理装置においては、外部からＴＶの放送予定を示す番組情報が取込まれると、この取込まれた番組情報に基づいて例えば１週間等の所定期間分の番組放送予定表が自動的に作成される。
【００２０】
そして、視聴者（ユーザ）がこの番組予約管理装置を用いて番組予約を行う場合は、番組放送予定表を表示画面に読出して、例えばマウスやカーソルキーを用いて表示画面上で録画予約を行う番組を指定すると、この指定された番組が予約番組として登録される。そして、この登録された予約番組が例えばＶＴＲの放送番組を録画する機器へ送信される。
【００２１】
しかして、ＶＴＲは内部に組込まれている時計回路によって受信した予約番組が指定する録画開始時刻に達すると、同じく指定されたチャンネルの番組に対する録画を開始し、指定された終了時刻が到来すると、録画を終了する。
【００２２】
このように、視聴者は自己が録画したい番組を、表示された番組放送予定表内で指定するのみで該当番組の録画予約が終了するので、通常のパーソナルコンピュータにおける選択メニューの項目をマウスでクリックする感覚で番組予約ができ、操作性を大幅に向上できると共に、操作誤りに起因する録画ミスの発生確率を低減できる。
【００２３】
また、番組放送予定表を作成するための番組情報を例えば１ヶ月等の規定期間が経過する毎に、例えば、インターネットを介して、ＴＶ番組情報提供会社の番組情報提供サーバから取込むようにしている。
【００２４】
したがって、視聴者としては、番組情報を取込むために特別の操作を実施する必要がないので、操作性をより一層向上できる。
また、規定期間より短い期間が経過する毎に、番組情報提供サーバから番組変更情報を取込んで番組放送予定表を修正するようにしている。すなわち、ＴＶにおける実際に放送される番組はしばしば変更される。したがって、上述した１ヶ月等の規定期間が経過する毎に番組情報を取込んだ場合、一旦作成した番組放送予定表内における１ヶ月の期間内に変更になった番組を訂正することによって、変更になった番組を誤って録画予約することを未然に防止したり、録画予約済みの予約番組を取消すことが可能となる。
【００２５】
また、本発明の番組予約管理装置においては、各予約番組が放送番組を録画する機器で確実に録画できたか否かを示す録画結果を、放送番組を録画する機器から取得している。そして、番組名毎に録画結果一覧表を作成している。したがって、視聴者は必要に応じてこの録画結果一覧表を表示画面に表示させて、録画結果を確認できる。
【００２６】
さらに、前述した各番組名毎に録画結果一覧表をビデオカセットのラベルとして印字出力することが可能である。したがって、視聴者は、このラベルを録画済のビデオカセットに貼付けることによって、録画済ビデオカセッの管理が容易となる。
【００２８】
また、番組放送予定表が表示された状態で、表示画面上における番組指定操作を行うと、本発明の番組予約管理装置から直接ＴＶへ指定された番組に対応するチャンネルへのチャンネル切換指示が送信される。したがって、この番組予約管理装置から直接ＴＶを遠隔操作可能である。
【００３０】
【発明の実施の形態】
以下本発明の実施形態を図面を用いて説明する。
図１は本発明の実施形態の番組予約管理装置を示す外観図である。例えば、パーソナルコンピュータで構成された番組予約管理装置１に対してＶＴＲ２とＴＶ３とが接続されている。そして、番組予約管理装置１においては、本体装置４に対してＣＲＴ表示装置５とキーボード６とマウス７とプリンタ８とが接続されている。
【００３１】
このパーソナルコンピュータで構成された番組予約管理装置１は、例えば磁気ディスク等の記録媒体に記録されたプログラムを読取り、このプログラムによって各種の動作を実行する。そして、番組予約管理装置１は、図２に示すように、モデム９及びプロバイダ１０を介してインターネット１１に接続可能である。そして、インターネット１１にはＴＶ番組情報提供会社の番組情報提供サーバ１２が接続されている。したがって、番組予約管理装置１はインターネット１１を介して番組情報提供サーバ１２のホームページをアクセスして、例えば１ヶ月分の各ＴＶ放送局の放送予定を示す番組情報をまとめて自己装置にダウンロードすることが可能である。
【００３２】
図３は、番組予約管理装置１の概略構成を示すブロック図である。
モデム９を介して入出力インタフェース１３へ入力された、図６（ａ）に示す１ヶ月分の番組情報３１は一旦番組情報バッファ１４へ格納される。この番組情報３１は、新規（挿入）Ｉ、削除Ｄ、更新済Ｕを示すフラグ、放送予定年月日、図６（ｄ）に示す変更フラグ（０；通常，１：変更）及びチャンネル（ＣＨ）番号を含む７桁の番組コード、放送開始時刻、放送終了時刻、番組名等が含まれる。
【００３３】
予定表作成部１５は、番組情報バッファ１４に書込まれた１ヶ月分の番組情報３１を読出して、図８に示す１日（２４時間）毎の全のチャンネル（放送局）における番組放送予定表３３、及び図７に示す各チャンネル（放送局）毎の１週間分の番組放送予定表３２を作成して予定表ファイル１６へ登録する。
【００３４】
また、モデム９を介して入出力インタフェース１３へ入力された、図６（ｂ）に示す番組変更情報３４は一旦番組変更情報バッファ１７に格納される。放送予定修正部１８は番組変更情報バッファ１７に書込まれた番組変更情報３４で予定表ファイル１６に記憶された各番組放送予定表３２，３３を訂正する。具体的には、一旦、図６（ｃ）に示す日別番組表最新情報３５を作成して、この日別番組表最新情報３５で各番組放送予定表３２，３３を更新する。
【００３５】
放送予定表示出力部１９は、予定表ファイル１６に記憶された各番組放送予定表３２，３３をＣＲＴ表示装置５へ表示出力する。予約登録部２０は、ＣＲＴ表示装置５に各番組放送予定表３２，３３が表示された状態でマウス７やキーボード６で指定された番組に対する録画予約を行う。
【００３６】
予約番組送信部２１は、予約登録部２０で予約登録された予約番組を図１３に示す所定の伝送フレーム３６に組込んで、入出力インタフェース２２を介してＶＴＲ２へ送信する。
【００３７】
伝送フレーム３６内には、操作年月日を含む予約番号、録画開始日、録画終了日、曜日等の期日指定、録画開始時刻、録画終了示時刻、チャンネル（放送局）、テープ番号、録画モード、録画結果（０：未録画，１：録画正常終了，９：テーブ切れ（異常））等が設定される。
【００３８】
ＶＴＲ２は、チューナー及び録画予約メモリを内蔵しており、番組予約管理装置１から受信した伝送フレーム３６に組込まれた予約番組を抽出して録画予約メモリへ予約登録する。そして、番組予約メモリに予約登録された番組の開始時刻になると自動的に該当番組の録画を開始する。
【００３９】
ＶＴＲ２は、該当番組の録画が終了すると、録画結果を前記した図１３に示す伝送フレーム３６に組込んで、番組予約管理装置１の入出力インタフェース２２へ送信する。
【００４０】
番組予約管理装置１の入出力インタフェース２２へ入力された伝送フレーム３６に組込まれた録画結果は一旦録画結果バッファ２３に書込まれる。画像結果編集部２４は、録画結果を録画表ファイル２５に記憶されている例えば図１６に示す同一番組名毎の録画結果一覧表３７に追加登録する。
【００４１】
録画結果表示出力部２６は、録画結果バッファ２３に入力した各番組個別の録画結果を図１５に示すようにＣＲＴ表示装置５に表示出力された番組放送予定表を、該当番組３８を強調表示した録画結果表示３９とする。さらに、録画結果表示出力部２６は、録画結果バッファ２３に記憶された同一番組名毎の録画結果一覧表３７をＣＲＴ表示装置５に表示出力する。
【００４２】
ラベル印字出力部２７は、視聴者の番組名を指定した印字指令に基づいて録画表ファイル２５に記憶されている該当番組名の録画結果一覧表３７を各ビデオテープ番号毎に再編集して図２０に示すビデオカセット４０に貼付けるラベル２８としてプリンタ８を用いて印字出力する。
【００４３】
ＴＶ遠隔操作部２９は、視聴者にてキーボード６又はマスウ７で指定された番組に対応するチャンネルへのチャンネル切換信号を出力インタフェース３０を介してＴＶ３へ送出する。
【００４４】
このように構成された番組予約管理装置１全体の処理動作を図４の流れ図を用いて説明する。
Ｓ（ステップ）１にて、所定期間としての１ヶ月のうちの月初めの１日等の予め定められた日付が到来すると、Ｓ２にて図５（ａ）に示す番組情報ダウンロード・番組表作成処理を実施する。
【００４５】
図５（ａ）において、インターネット１１を介して番組情報提供サーバ１２のホームページをアクセスして（Ｐ１）、図６（ａ）に示す１ヶ月分の各放送局（チャンネル）毎の番組情報３１を自己の番組情報バッファ１４へダウンロードする（Ｐ２）。ダウンロード処理が終了するとインターネット１１に対する接続を開放する（Ｐ３）。
【００４６】
そして、予定表作成部１５を起動して、データ変換を実施し（Ｐ４）、図７，８に示す番組予定表３２，３３の基本レイアウトを作成し（Ｐ５）、各チャンネル（放送局）毎の１週間分の番組放送予定表３３を作成する（Ｐ６）。さらに、全てのチャンネル（放送局）の１日毎に番組放送予定表３２を作成する（Ｐ７）。そして、作成した各番組放送予定表３２，３３を予定表ファイル１６へ書込む（Ｐ８）。
【００４７】
図４のＳ３にて、所定期間としての１ヶ月より短い毎日の例えば深夜０時等の所定時刻に達すると、Ｓ４にて図５（ｂ）に示す番組修正処理を実施する。
図５（ｂ）において、インターネット１１を介して番組情報提供サーバ１２のホームページをアクセスして（Ｑ１）、図６（ｂ）に示すその時点における番組変更情報３４を自己の番組変更情報バッファ１７へダウンロードする（Ｑ２）。ダウンロード処理が終了するとインターネット１１に対する接続を開放する（Ｑ３）。
【００４８】
そして、放送予定修正部１８を起動して番組変更情報バッファ１７に書込まれた番組変更情報３４で予定表ファイル１６に記憶された各番組放送予定表３２，３３の記憶内容を訂正する（Ｑ５）。
【００４９】
図４のＳ５にて、視聴者がキーボード６で番組予約操作を開始すると、Ｓ６へ進み、予約登録部２０を起動して、図９に示す予約登録処理を開始する。
図９において、各番組放送予定表３２，３３に対する表示モードが指定されると（Ｒ１）、指定されたチャンネル（放送局）、又は指定された日に対応する各番組放送予定表３２，３３を予約表ファイル１６から読出してＣＲＴ表示装置５に表示出力する（Ｒ２）。なお、表示モードとしては、図１０に示す日指定モードの番組放送予定表３２ａと、図示しない局指定モードの番組放送予定表が準備されている。
【００５０】
表示された図１０に示す番組放送予定表３２ａ内には、［予約登録］，［予約変更］，［送信］の３つの業務モードをマウス７でクリックして実施させることが可能である。
【００５１】
予約登録モードを指定すると（Ｒ３）、図１０に示すように、表示画面に予約登録のためのウインドウ４１ａが表示される。そして、録画したい番組をマウス７でクリックすると（Ｒ４）、該当番組の放送予定日、放送時刻，チャンネル，番組名等がウインドウ４１ａ内に表示される。さらに、視聴者が録画に用いるビデオカセット４０の番号（ビデオ番号）等を指定すると、［確認］のダイアログを表示する（Ｒ５）。そして、視聴者が［確認（ＯＫ）］をクリックすると（Ｒ６）、番組放送予定表３２ａの該当番組が反転表示され（Ｒ７）、ウインドウ４１ａ内に設定された該当番組が予約登録される（Ｒ８）。
【００５２】
また、視聴者が予約変更／削除モードを選択すると（Ｒ９）、図１１に示すように、表示画面に変更／削除のためのウインドウ４１ｂが表示される。そして、変更／削除したい番組をマウス７でクリックすると（Ｒ１０）、該当番組の放送予定日、放送時刻，チャンネル，番組名等がウインドウ４１ｂ内に表示される。
【００５３】
さらに、視聴者が既に登録している録画に用いるビデオカセット４０の番号（ビデオ番号）等を指定すると、［確認］のダイアログを表示する（Ｒ１１）。そして、視聴者が［確認（ＯＫ）］をクリックすると（Ｒ１２）、番組放送予定表３２ａの該当番組が反転表示され（Ｒ１３）、ウインドウ４１ｂ内に設定された該当番組が変更／削除登録される（Ｒ１４）。
【００５４】
そして、視聴者が［送信業務モード］をクリックすると（Ｒ１５）、［確認］のダイアログを表示する（Ｒ１６）。そして、視聴者が［確認（ＯＫ）］をクリックすると（Ｒ１７）、図１２に示すように、表示画面に送信中を示すウインドウ４１ｃが表示される。そして、登録された番組予約情報及び変更／削除番組情報を図１３に示す前述した伝送フレーム３６に組込んでＶＴＲ２へ送信する（Ｒ１７）。
【００５５】
図４のＳ７にて、ＶＴＲ２から図１３に示す伝送フレーム３６を受信すると、Ｓ８へ進み、図１４に示す録画結果編集処理を実施する。
図１４において、ＶＴＲ２から受信した伝送フレーム３６に含まれる予約番号、開始時刻，終了時刻，チャンネル，テープ番号、録画の有無等からなる録画結果を抽出する（Ｔ１）。そして、予定表ファイル１６から該当番組を含むいずれかの番組放送予定表３２，３３における該当番組３８を強調表示して番組録画表示結果３９として、図１５に示すように、ＣＲＴ表示装置５に表示出力する（Ｔ２）。
【００５６】
そして、該当録画番組名で録画表ファイル２５を検索する（Ｔ３）。対応する番組名の録画結果一覧表３７が検出されない場合は、Ｔ５へ進み、新規に今回録画した番組名の録画結果一覧表３７を作成して録画表ファイル２５へ新規設定する。
【００５７】
対応する番組名の録画結果一覧表３７が検出された場合、及び新規に録画結果一覧表３７が新規登録された場合は、該当録画結果一覧表３７に今回受信した録画結果を追加書込みする（Ｔ６）。
【００５８】
次に、Ｔ７にてビデオカセット管理処理を実施する。
すなわち、図１７に示すメニュー画面４２をＣＲＴ表示装置５に表示する。このメニュー画面４２で［ビデオ情報管理］と［ラベル印刷］とを選択可能である。視聴者が［ビデオ情報管理］をクリックすると、図１８に示すように、ビデオカセット番号毎に、録画結果を集計した録画結果一覧表４３と、図１７に示すように、番組番号（同一番組名）毎に、録画結果を集計した録画結果一覧表４４とを選択できる。
【００５９】
図４のＳ９にて、視聴者がキーボード６を介して、番組名を指定した録画結果表示操作を行うと、録画表ファイル２５に記憶されている該当番組名の図１６に示す画録画結果一覧表３７を表示出力する（Ｓ１０）。
【００６０】
Ｓ１１にて、視聴者が図１７に示すメニュー画面４２が表示された状態で、［ラベル印字］をクリックすると、図１８の同一番組名でかつ同一カセット番号毎に再編集された録画結果一覧表４３を図２０に示すフォーマットでラベル２８に印字出力する（Ｓ１２）。また、別途タイトル（番組名）のみを拡大してラベル４５に印字する。
【００６１】
視聴者は、図２０に示すように、この録画結果が印字されたラベル２８とタイトル（番組名）が印字されたラベル４５とをＶＴＲ２から取出した録画済のビデオカセット４０に貼付ければよい。
【００６２】
また、Ｓ１３にて、今日の日付を含む各番組放送予定表３２，３３が表示された状態で、現在時刻を含む番組をマウス７でクリックすると、Ｓ１４にて、ＴＶ操作部２９が起動して、該当番組が所属するチャンネルへのチャネル切換信号を出力インタフェース３０を介してＴＶ３へ送出する。その結果、ＴＶ３のチャンネルが自動的に切替る。したがって、この番組予約管理装置１でＴＶ３に対する遠隔操作が可能となる。
【００６３】
このように構成された番組予約管理装置１においては、インターネット１１を介して毎月１回、ＴＶ番組情報提供会社の番組情報提供サーバ１２から１ヶ月分のＴＶ放送予定を示す番組情報３１が取込まれる。この取込まれた番組情報３１に基づいて例えば１週間等の所定期間分の各チャンネル（放送局）毎の番組放送予定表３３、及び全チャンネル（放送局）を含む１日毎の番組放送予定表３２が自動的に作成されて予定表ファイル１６に格納される。
【００６４】
そして、視聴者がこの番組予約管理装置１を用いて番組予約を行う場合は、予定表ファイル１６に記憶されている各番組放送予定表３２，３３に対応する番組放送予定表３２ａをＣＲＴ表示装置５の表示画面に読出して、例えばマスウ７やキーボード６のカーソルキーを用いて表示画面上で録画予約を行う番組を指定すると、この指定された番組が予約番組として登録される。そして、この登録された予約番組が所定の伝送フレーム３６に組込まれて入出力インタフェース２２を介してＶＴＲ２へ送信される。
【００６５】
その結果、ＶＴＲ２は、受信した伝送フレーム３６に含まれる予約番組が指定する録画開始時刻に達すると、指定されたチャンネルの該当番組に対する録画を開始し、指定された終了時刻が到来すると、録画を終了する。
【００６６】
そして、ＶＴＲ２は録画結果を前記伝送フレーム３６に組込んで番組予約管理装置１へ返信される。
そして、必要に応じて、録画結果をＣＲＴ表示装置５に表示したり、同一番組名毎でかつ同一ビデオ番号毎に録画結果を編集して、ラベル２８に印字している。
【００６７】
このように、視聴者は自己が録画したい番組を表示された番組放送予定表３２ａ内で指定するのみで該当番組の録画予約及び予約変更や予約削除が終了するので、通常のパーソナルコンピュータにおける選択メニューの項目をマウスでクリックする感覚で番組予約ができ、番組予約管理装置１における操作性を大幅に向上できると共に、操作誤りに起因する録画ミスの発生確率を低減できる。
【００６８】
また、番組放送予定表３２、３３を作成するための番組情報３１をインターネット１１を介して、番組情報提供サーバ１２から取込むようにしている。したがって、視聴者としては、番組情報３１を取込むために特別の操作を実施する必要がないので、操作性をより一層向上できる。
【００６９】
また、１日毎に、番組情報提供サーバ１２から番組変更情報３４を取込んで番組放送予定表３２、３３を修正するようにしている。したがって、たとえＴＶ３の放送予定番組が頻繁に変更になったとしても、一旦作成した番組放送予定表３２．３３内における変更になった番組が自動的に修正される。
【００７０】
その結果、視聴者が変更になった番組を知らずに録画予約することを未然に防止したり、録画予約済みの予約番組を簡単に取消すことが可能となる。
また、各予約番組がＶＴＲ２で確実に録画できたか否かを示す録画結果がＶＴＲ２から取得されて、番組名毎に録画結果一覧表３７が作成される。そして、視聴者は必要に応じてこの録画結果一覧表３７をＣＲＴ表示装置５の表示画面に表示させて、録画結果を確認できる。
【００７１】
この場合、番組名毎に一覧表形式で表示されるので、連続ドラマや、シリース物等の録画結果を一瞥して確認できる。
さらに、前述した各番組名毎に録画結果一覧表３７，４３をビデオカセット４０のラベル２８として印字出力することが可能である。したがって、視聴者は、このラベル２８を録画済のビデオカセット４０に貼付けることによって、録画済ビデオカセット４０の管理が容易となる。
【００７２】
また、ＣＲＴ表示装置５に番組放送予定表３２ａが表示された状態で、マウス７で現在見たい番組をクリックすると、番組予約管理装置１から直接ＴＶ３へ自動的にチャンネル切換指示が送信さる。したがって、この番組予約管理装置１から直接ＴＶ３を遠隔操作可能である。
【００７３】
なお、本発明は上述した実施形態に限定されるものではない。
実施形態においては、番組予約管理装置１とＶＴＲ２とＴＶ３との間における情報交換はＴＣＰ／ＩＰプロトコルを用いた有線で実施しているが、例えば図２１に示すように、それぞれ無線ＬＡＮを用いて情報交換することも可能である。この場合、各装置相互間の信号線の接続作業等が省略でき、番組予約管理装置１の操作性も向上できる。
【００７４】
さらに、図３のモデム９の代りに、携帯型のイメージスキャナー及び文字認識装置を備え、このイメージスキャナーで新聞や番組情報誌等に印刷された番組放送予定表に記載された番組名や放送予定時刻、チャンネル番号等を読取り、この読取ったイメージを文字認識装置で番組情報３１へ変換して、入出力インタフェース１３を介して番組情報バッファ１４へ書込む。
【００７５】
このような構成の番組予約管理装置においては、視聴者がイメージスキャナーを用いて読取り操作を実施する必要があるが、インターネット１１を使用する場合に比較して、通信費や情報提供料が不要となり装置全体の維持管理費が節減できる。
【００７６】
なお、全部のチャンネル（放送局）の全ての番組をイメージスキャナーで読取るのは煩雑であるので、視聴者が録画予約したい番組の所属するチャンネルの各番組のみを読取るのみでよい。さらに、極端な場合、視聴者が録画予約したい番組のみをイメージスキャナーで読取ればよい。
【００７７】
【発明の効果】
以上説明したように、本発明の番組予約管理装置においては、取込んだ番組情報から所定期間の番組放送予定表を作成して表示装置に表示して視聴者に録画番組を表示画面上で指定させている。
【００７８】
したがって、視聴者にとって、通常のパーソナルコンピュータのメニュー画面でクリック操作する感覚で番組予約操作が実施でき、予約操作が大幅に簡素化され、かつ誤りなく確実にＶＴＲに対する番組録画予約が実施できる。
【００７９】
また、番組放送予定表を作成するための番組情報を例えば１ヶ月等の規定期間が経過する毎にインターネットを介して、ＴＶ番組情報提供会社の番組情報提供サーバから取込むようにしている。したがって、視聴者としては、番組情報を取込むために特別の操作を実施する必要がないので、番組予約の操作性をより一層向上できる。
【００８０】
さらに、短い周期で番組情報提供サーバから番組変更情報を取込んで番組放送予定表を修正するようにしている。したがって、一旦作成した番組放送予定表内における例えば１ヶ月の期間内に変更になった番組を訂正することによって、変更になった番組を誤って録画予約することを未然に防止したり、録画予約済みの予約銀込みを取消すことが可能となる。
また、必要に応じて、録画済みのビデオカセットに貼付けるラベルに必要な録画結果の一覧表を印字出力することも可能である。
【図面の簡単な説明】
【図１】本発明の一実施形態に係わる番組予約管理装置とＶＴＲとＴＶとを示す外観図
【図２】同番組予約管理装置とインターネットとの接続関係を示す図
【図３】同番組予約管理装置の概略構成を示すブロック図
【図４】同番組予約管理装置における全体処理動作を示す流れ図
【図５】同番組予約管理装置におけるダウンロード処理と番組表作成処理を示す流れ図
【図６】同番組予約管理装置に対してインターネットから入力された番組情報及び番組変更情報を示す図
【図７】同番組予約管理装置で作成された全チャンネル（放送局）の１日分の番組放送予定表を示す図
【図８】同番組予約管理装置で作成された１週間分の同一チャンネル（放送局）の番組放送予定表を示す図
【図９】同番組予約管理装置における予約登録処理動作を示す流れ図
【図１０】同番組予約管理装置における予約登録モード時に表示された番組放送予定表を示す図
【図１１】同番組予約管理装置における予約変更／削除モード時に表示された番組放送予定表を示す図
【図１２】同番組予約管理装置における送信モード時に表示された番組放送予定表を示す図
【図１３】同番組予約管理装置とＶＴＲとの間で送受信される情報が組込まれる伝送フォーマットを示す図
【図１４】同番組予約管理装置における録画結果編集処理動作を示す流れ図
【図１５】同番組予約管理装置におけるＣＲＴ表示装置に表示された番組録画結果を示す図
【図１６】同番組予約管理装置で作成された録画結果一覧表を示す図
【図１７】同番組予約管理装置におけるＣＲＴ表示装置に表示されたメニュー画面を示す図
【図１８】同番組予約管理装置で作成されたビデオ番号毎の録画結果一覧表を示す図
【図１９】同番組予約管理装置で作成された番組番号毎の録画結果一覧表を示す図
【図２０】同番組予約管理装置で印字されたラベルが貼付けられたビデオカセットを示す図
【図２１】本発明の他の実施形態に係わる番組予約管理装置とＶＴＲとＴＶとを示す外観図
【符号の説明】
１…番組予約管理装置、２…ＶＴＲ、３…ＴＶ、５…ＣＲＴ表示装置、６…キーボード、７…マウス、８…プリンタ、９…モデム、１１…インターネット、１２…番組情報提供サーバ、１５…予定表作成部、１６…予定表ファイル、１８…放送予定修正部、１９…放送予定表示出力部、２０…予約登録部、２１…予約番組送信部、２４…録画結果編集部、２５…録画表ファイル、２６…録画結果表示出力部、２７…ラベル印字出力部、２８…ラベル、２９…ＴＶ遠隔操作部、３２，３３…番組放送予定表、３７，４３，４４…録画結果一覧表
【図１】
0003542243.tif 000002
【図２】
0003542243.tif 000003
【図３】
0003542243.tif 000004
【図４】
0003542243.tif 000005
【図５】
0003542243.tif 000006
【図６】
0003542243.tif 000007
【図７】
0003542243.tif 000008
【図８】
0003542243.tif 000009
【図９】
0003542243.tif 000010
【図１０】
0003542243.tif 000011
【図１１】
0003542243.tif 000012
【図１２】
0003542243.tif 000013
【図１３】
0003542243.tif 000014
【図１４】
0003542243.tif 000015
【図１５】
0003542243.tif 000016
【図１６】
0003542243.tif 000017
【図１７】
0003542243.tif 000018
【図１８】
0003542243.tif 000019
【図１９】
0003542243.tif 000020
【図２０】
0003542243.tif 000021
【図２１】
0003542243.tif 000022